(57)【要約】【課題】  スーツ等の上着とブラジャー等の下着の中間に装着することで、ブラウス等のインナーを着用することなく胸元を隠すことができると共に、ブラジャー等の肩紐がズレない装飾胸当てを提供する。【解決手段】  ブラジャー等に設けられた左右の乳房受けカップ部の一部又は全部を覆う胸当部と、該胸当部に一端が固定され他端が左右の乳房受けカップ部の上縁又は上縁に設けられた肩紐に着脱自在に取り付けられる２個の第一係止手段と、該胸当部に一端が固定され他端が左右の乳房受けカップ部の中央部分に着脱自在に取り付けられる１個の第二係止手段とからなる装飾胸当て。また、前記第一係止手段又は第二の係止手段のいずれか又は両方が、着用する下着のデザインやサイズに合わせて長さ調節可能であり、前記胸当部に着脱自在に取り付けられている。【選択図】          図１
0003113399.tif 000002
【実用新案登録請求の範囲】
【請求項１】
左右の乳房受けカップ部の一部又は全部を覆う胸当部と、該胸当部に一端が固定され他端が左右の乳房受けカップ部の上縁又は上縁に設けられた肩紐に着脱自在に取り付けられる第一係止手段と、該胸当部に一端が固定され他端が左右の乳房受けカップ部の中央部分に着脱自在に取り付けられる第二係止手段とからなる装飾胸当て。
【請求項２】
前記第一係止手段又は第二の係止手段のいずれか又は両方が、長さ調節可能であることを特徴とする請求項１記載の装飾胸当て。
【請求項３】
前記第一係止手段又は第二の係止手段のいずれか又は両方が、前記胸当部に着脱自在に取り付けられていることを特徴とする請求項１記載の装飾胸当て。
【考案の詳細な説明】
【技術分野】
【０００１】
本考案は、左右の乳房受けカップ部を有する女性用被服（例えば、ブラジャー、ボディスーツなど）の前面に装着する装飾胸当てに関するものである。
【背景技術】
【０００２】
従来、胸元が大きく開いた被服（例えば、スーツなど）を着用するときには、女性は胸元を隠すために下着（例えば、ブラジャー、ボディスーツなど）とスーツとの間にインナー（例えば、ブラウス、キャミソールなど）を着用することが多い。しかしながら、重ね着をすると窮屈であり、特に気候の温暖期においては発汗等により不快感がある。そこで、ブラウスやキャミソールなどのインナーを着用しなくても胸元を隠すことができる簡易な被服が求められている。これを解決するために、左右の乳房受けカップ部を有する女性用被服に取り付けられる左右の肩紐と、前記カップ部を覆う布片から構成されており、前記布片上部の左右の端部が左右の肩紐のカップ部側先端部にそれぞれ取り付けられていることを特徴とする肩紐付き前当布が開示されている（例えば、特許文献１参照。）。
【特許文献１】特開２０００−１７５０２号公報
【考案の開示】
【考案が解決しようとする課題】
【０００３】
しかしながら、特許文献１に開示された肩紐付き前当布は、該前当布の上部縁の左右端に肩紐の一端が固着されており、他端はブラジャー等の背部に取り付けられる構成となっている。従って、この肩紐付き前当布をストラップレス（肩紐なし）のブラジャーに装着した場合には、肩紐が装着中に肩よりズレたりズレ落ちるという問題があった。また、紐付きブラジャーに装着した場合は、ブラジャーの肩紐と肩紐付き前当布の肩紐の２本がそれぞれ両肩に掛かかるので、装着時に違和感を覚えるだけでなく依然として肩紐が装着中に肩よりズレたりズレ落ちるという問題があった。
【０００４】
本考案は、このような課題を解決するためになされたもので、スーツやジャケット等の上着とブラジャーやボディスーツ等の下着の中間に装着するという簡単な手段で、ブラウスやキャミソール等のインナーを着用することなく胸元を隠すことができると共に、肩紐がズレない装飾胸当てを提供することを目的としている。
【課題を解決するための手段】
【０００５】
上記課題を解決するために、本考案の請求項１では、ブラジャーやボディスーツ等に設けられた左右の乳房受けカップ部の一部又は全部を覆う胸当部と、該胸当部に一端が固定され他端が左右の乳房受けカップ部の上縁又は上縁に設けられた肩紐に着脱自在に取り付けられる２個の第一係止手段と、該胸当部に一端が固定され他端が左右の乳房受けカップ部の中央部分に着脱自在に取り付けられる１個の第二係止手段とからなる装飾胸当てとしている。また、請求項２では、前記第一係止手段又は第二の係止手段のいずれか又は両方が、着用する下着のデザインやサイズに合わせて長さ調節可能である装飾胸当てとしている。さらに、請求項３では、前記第一係止手段又は第二の係止手段のいずれか又は両方が、前記胸当部に着脱自在に取り付けられている装飾胸当てとしている。
【考案の効果】
【０００６】
本考案の請求項１では、左右の乳房受けカップ部の一部又は全部を覆う胸当部と、該胸当部に一端が固定され他端が左右の乳房受けカップ部の上縁又は上縁に設けられた肩紐に着脱自在に取り付けられる第一係止手段と、該胸当部に一端が固定され他端が左右の乳房受けカップ部の中央部分に着脱自在に取り付けられる第二係止手段とからなる装飾胸当てとしている。これにより、インナーを着用することなく胸元を隠すことができる。そして、様々な生地を用いてデザイン性に優れた装飾胸当てを作成することにより、１着の上着に対して複数の装飾胸当てを、或いは、１枚の装飾胸当てに対して複数の上着を取り替えながら、外出の目的に合わせてオシャレを楽しむことができる。
【０００７】
また、請求項２では、前記第一係止手段又は第二の係止手段のいずれか又は両方が、長さ調節可能であることを特徴とする装飾胸当てとしている。このような構成としているため、肩紐付き下着の前面に本考案による装飾胸当てを装着する場合、左右の肩紐を中央側に引っ張るように第一係止手段の長さ調節をして装着することにより、下着の肩紐がズレたりズレ落ちたりすることを防止できる。また、第二係止手段も長さ調節が可能であるから、下着のデザインやサイズに合わせて、最適な状態で係止することができる。
【０００８】
さらに、請求項３では、前記第一係止手段又は第二の係止手段のいずれか又は両方が、前記胸当部に着脱自在に取り付けられている。これにより、係止手段が損傷したとき、下着のデザインや形状に合わせて係止手段を交換したいとき等に、簡単に取替えすることができる。
【考案を実施するための最良の形態】
【０００９】
以下、本考案の実施形態を図面に基づいて詳細に説明するが、本考案はこれらに限定されるものではなく、要旨を変更しない範囲において適宜変更が可能なものである。図１は本考案の装飾胸当ての実施形態を示す背面図、図２は図１に示す装飾胸当てをブラジャーに装着した状態を示す背面図、図３は図１に示す装飾胸当ての装着状態を示す正面図である。図１〜図２において、装飾胸当ては、ブラジャー４やボディスーツ等に設けられた左右の乳房受けカップ部の少なくとも一部を覆うように形成された胸当部１と、前記胸当部１の上縁近傍に取り付けられた２個の第一係止手段２と、前記胸当部１の中央下端部に取り付けられた第二係止手段３より構成されている。
【００１０】
胸当部１は、図１〜図２に示すように、上辺１１、左側辺１２及び右側辺１３の三辺で囲まれる略逆三角形に形成されており、その大きさは上着を着用してボタンを掛けた状態で、少なくとも胸元が露出する部分及びその周辺を覆う大きさとしている。上辺１１は、直線状、円弧状或いは折曲線状であり、上辺１１には必要に応じてレース地１５、フリル等を設けてデザイン性を向上させている。上辺１１の両端近傍には、一端が胸当部１に固定され他端がブラジャー４の左右の乳房受けカップ部の上縁に設けられた肩紐４１に着脱自在に取り付けられる、２個の第一係止手段である係止帯２が取り付けられている。また、胸当部１の下端部（略逆三角形の頂点近傍）には、一端が胸当部１に固定され、他端がブラジャー４の左右の乳房受けカップ部の連結部４２に着脱自在に取り付けられる１個の第二係止手段である係止帯３が取り付けられている。
【００１１】
前記係止帯２，３の一端は、胸当部１に縫着されているが、着脱可能な状態で取り付けることも可能である。前記係止帯２，３の他端は、ブラジャー４の肩紐４１を保持する保持片２１、或いは乳房受けカップ部の連結部４２を保持する保持片３１が取り付けられている。該保持片２１，３１の使用例としては、クリップ、スナップ、ホック、ボタン及びボタン穴、面ファスナー、紐等がある。また、前記第一係止手段２又は第二係止手段３のいずれか又は両方が、長さ調節が可能なように形成されている。このような構成としているため、肩紐付きブラジャー４等の前面に本考案による装飾胸当てを装着する場合、左右の肩紐４１を中央側に引っ張るように係止帯２の長さ調節をして装着することにより、ブラジャー４の肩紐４１がズレたりズレ落ちたりすることを防止できる。また、第二係止手段である係止帯３も長さ調節が可能であるから、ブラジャー４等の下着のデザインやサイズに合わせて、最適な状態で係止することができる。なお、ストラップレス（肩紐なし）のブラジャーに本考案の装飾胸当てを装着する場合には、前記係止帯２の保持片２１をブラジャーの乳房受けカップ部の上縁に係止する。
【００１２】
胸当部１は、一般的にインナーとして用いられている布地を用いるが、使用例としては、綿、麻、毛、絹などの天然繊維、レーヨン、キュプラ、アセテート、プロミックス、ナイロン、ポリエステル、ビニロン、ポリウレタン、ポリクラーレなどの化学繊維、或いはこれらを組合せた合成繊維を用いることができる。胸当部１は、上着５との配色、素材、デザインが重要となるが、配色、素材、デザインの異なる胸当部１を複数作成することにより、カジュアル、フォーマル、ゴージャス、或いは四季にあわせて様々なコーディネートを楽しむことができる。
【００１３】
図４は、他の実施形態を示す装飾胸当ての背面図である。図４において、胸当部１ａは、上辺１１ａ、左右側辺１２ａ，１３ａ及び底辺１４ａの四辺で囲まれる略四辺形に形成されている。そして、幅は上着を着用してボタンを外した状態で、少なくとも胸元が露出する部分及びその周辺を覆う大きさとしている。また、上辺１１ａから底辺１４ａまでの長さは、少なくともブラジャー等の乳房受けカップ部を覆う長さであればよいが、ズボン又はスカートの上部位置よりも長く、且つ上着の丈よりも短くしてもよい。このように胸当部１ａの丈を長くすることにより、ボタンを外して上着の前を開けた状態でも下着又は肌が露出しない。胸当部１ａの上辺１１ａは、直線状、円弧状或いは折曲線状であり、必要に応じてレース地１５ａ、フリル等を設けてデザイン性を向上させている。
【００１４】
上辺１１ａの両端近傍には、一端が胸当部１ａに固定され他端がブラジャーの左右の−乳房受けカップ部の上縁に設けられた肩紐に着脱自在に取り付けられる２個の第一係止手段である係止帯２ａが取り付けられている。また、胸当部１ａの底辺１４ａの両端近傍には、一端が胸当部１ａに固定され、他端は互いに着脱自在に連結される２個（一対）の第二係止手段である係止帯３１ａが取り付けられている。なお、前記係止帯２１ａ，３１ａの一端は、胸当部１ａに縫着されているが、着脱可能な状態で取り付けることも可能である。また、前記係止帯２ａ，３ａの他端は、ブラジャーの肩紐を保持する保持片２１ａ，或いは互いに着脱自在に連結される保持片３１ａが取り付けられている。該保持片２１ａ，３１ａの使用例としては、クリップ、スナップ、ホック、ボタン及びボタン穴、面ファスナー、紐等がある。
【００１５】
また、前記第一係止手段２ａ又は第二の係止手段３ａのいずれか又は両方が、長さ調節が可能なように形成されている。このような構成としているため、ブラジャー等の肩紐付き下着の前面に本考案による装飾胸当てを装着する場合、左右の肩紐を中央側に引っ張るように係止帯２ａの長さ調節をして装着することにより、ブラジャー等の肩紐がズレたりズレ落ちたりすることを防止できる。また、第二係止手段である係止帯３ａも長さ調節が可能であるから、ブラジャー等の下着のデザインやサイズに合わせて、最適な状態で係止することができる。
【産業上の利用可能性】
【００１６】
本考案は、左右の乳房受けカップ部を有する女性用被服（例えば、ブラジャー、ボディスーツなど）の前面に装着する装飾胸当てである。従って、スーツやジャケットの上着、ブラウス，Ｔシャツ、セーター等を着用する際に、インナーの代わりに着用すれば、上着の色、デザイン、外出目的に合わせて利用することができる。
【図面の簡単な説明】
【００１７】
【図１】本考案の装飾胸当ての実施形態を示す背面図である。
【図２】図１に示す装飾胸当てをブラジャーに装着した状態を示す背面図である。
【図３】図１に示す装飾胸当ての装着状態を示す正面図である。
【図４】他の実施形態を示す装飾胸当ての背面図である。
【符号の説明】
【００１８】
１、１ａ  胸当部
２、２ａ  第一係止手段（係止帯）
３、３ａ  第二係止手段（係止帯）
４  ブラジャー
５  上着
１１、１１ａ  上辺
１２、１２ａ  左側辺
１３、１３ａ  右側辺
１４ａ  底辺
１５、１５ａ  レース地
２１、２１ａ、３１、３１ａ  保持片
【図１】
0003113399.tif 000003
【図２】
0003113399.tif 000004
【図３】
0003113399.tif 000005
【図４】
0003113399.tif 000006